(57)【要約】      （修正有）【課題】２つの対物レンズを用いる光ピックアップ装置において、ミラーのコストを抑制しながら、ミラー間の距離を縮めることができ、ひいては、対物レンズ間の距離を小さく設定できる光ピックアップ装置を提供する。【解決手段】ミラー１０４、１２４は方形平板形状を有し、その一辺がＸ軸（タンジェンシャル方向）に対して直交し、且つ、青色波長のレーザ光と赤／赤外波長のレーザ光をそれぞれ対物レンズ１０７、１２６に向かう方向（Ｚ軸方向）に反射するよう傾斜した状態にて、ハウジング（図示せず）に固着される。ミラー１０４、１２４は、互いに対向する一辺が略当接する状態にまで接近して配置されるため、ミラー間の距離を小さくできる。また、単純な方形平板状であるため、単純な切り出し工程にて形成でき、ミラー１０４、１２４のコスト上昇を抑制できる。【選択図】図１
2007334990.tif 000002
【特許請求の範囲】
【請求項１】
第１のレーザ光を収束させる第１の対物レンズと、
第２のレーザ光を収束させる第２の対物レンズと、
前記第１のレーザ光を前記第１の対物レンズ方向に反射する第１のミラーと、
前記第２のレーザ光を前記第２の対物レンズ方向に反射する第２のミラーを備え、
前記第１のミラーと前記第２のミラーは、方形形状のミラー面を有し、且つ、前記方形形状の１辺が前記第１の対物レンズと前記第２の対物レンズの配列方向に直交する状態でハウジングに配置されている、
ことを特徴とする光ピックアップ装置。
【請求項２】
請求項１に記載の光ピックアップ装置において、
前記第１のミラーと前記第２のミラーは、前記方形形状の１辺が互いに当接するか、あるいは、一定の隙間をおいて対向するようにして配置されている、
ことを特徴とする光ピックアップ装置。
【請求項３】
請求項１または２に記載の光ピックアップ装置において、
前記第１のミラーと前記第２のミラーは、板状ミラーにて構成されている、
ことを特徴とする光ピックアップ装置。
【請求項４】
請求項３に記載の光ピックアップ装置において、
前記第１のミラーと前記第２のミラーのうち少なくとも何れか一方は、前記ハウジングに配置された状態において厚み部分が重ならないよう、前記一辺を有する面が面取りされている、
ことを特徴とする光ピックアップ装置。
【請求項５】
請求項４に記載の光ピックアップ装置において、
前記一辺を有する面は、前記ミラー面から厚み方向に向かって一様に幅狭となるようカットされている、
ことを特徴とする光ピックアップ装置。
【請求項６】
請求項５に記載の光ピックアップ装置において、
前記一辺を有する面と反対側の面も、前記一辺を有する面と同様の状態にてカットされている、
ことを特徴とする光ピックアップ装置。
【請求項７】
請求項１ないし６の何れか一項に記載の光ピックアップ装置において、
前記第１のレーザ光と前記第２のレーザ光は、前記第１の対物レンズと前記第２の対物レンズを介してディスク上に照射され、
前記第１の対物レンズおよび前記第２の対物レンズと、前記第１のミラーおよび前記第２のミラーは、前記ディスクの径に直交する方向に配列される、
ことを特徴とする光ピックアップ装置。
【請求項８】
請求項７に記載の光ピックアップ装置において、
前記第１の対物レンズと前記第２の対物レンズの何れか一方が、前記ディスクの径に沿って移動するように配置される
ことを特徴とする光ピックアップ装置。
【請求項９】
請求項１ないし６の何れか一項に記載の光ピックアップ装置において、
前記第１のレーザ光と前記第２のレーザ光は、前記第１の対物レンズと前記第２の対物レンズを介してディスク上に照射され、
前記第１の対物レンズおよび前記第２の対物レンズと、前記第１のミラーおよび前記第２のミラーは、前記ディスクの径方向に配列される、
ことを特徴とする光ピックアップ装置。
【発明の詳細な説明】
【技術分野】
【０００１】
本発明は、光ピックアップ装置に関するものであり、特に、２つ以上の対物レンズが配された互換型の光ピックアップ装置に用いて好適なものである。
【背景技術】
【０００２】
数種のディスクに対応可能な互換型光ピックアップ装置では、対物レンズを２つ以上用いる構成がとられ得る。この場合、２つの対物レンズは、ディスク径に直交する方向に並べて配置することができる。ここで、一方の対物レンズを、ディスク径上を移動するよう配置すると、他方の対物レンズは、この径から一定距離だけ離れた位置を、このディスク径に平行に移動するようになる。しかし、この場合、ディスク上のトラック方向と他方の対物レンズの関係が、光ピックアップ装置の移動に応じて変化する。この問題は、プッシュプル信号に大きな影響を与える。すなわち、対物レンズの移動に伴って、光検出器上に投影されるトラックの方向が、センサパターンの分割線に対して回転する。このため、プッシュプル信号に乱れが生じるとの問題が発生する。
【０００３】
この問題は、２つの対物レンズ間の距離が大きくなるほど顕著に現れる。したがって、このように対物レンズをディスク径に直交する方向に並べて配置する場合には、対物レンズ間の距離を極力小さく設定する必要がある。ここで、２つの対物レンズ間の距離は、一般に、各対物レンズの直下位置に配される２つのミラー間の距離によって決定される。
【０００４】
図１１（ａ）は、従来の光学系における対物レンズとミラーの関係を示す図（上面図）である。
【０００５】
図示の如く、従来の光学系では、各レーザ光の入射方向に対して一辺が直交するように、方形平板状ミラー１０、３０が配置される。ところが、ミラー１０、３０をこのように配置すると、レーザ光をディスク径方向（ラジアル方向）に対して斜め方向からミラー１０、３０に入射させようとする場合に、ミラー１０、３０の角部分が接近し、このため、ミラー１０、３０間の距離を、各ミラーの角部分が当接するときの距離よりも縮めることができなくなる。この場合、２つの対物レンズ２０、４０間の距離は、ミラー１０、３０の角部分が当接するときの距離が最小となる。
【０００６】
これに対し、特許文献１に記載の発明では、図１１（ｂ）に示す如く、ミラー１１、３１の角部分をカットし、ミラー間の距離をさらに接近させるようにしている。この先行発明によれば、同図（ａ）の場合に比べ、対物レンズ２０、４０間の距離を接近させることができる。
【特許文献１】特開２００６−４５４７号公報
【発明の開示】
【発明が解決しようとする課題】
【０００７】
しかし、この先行発明によれば、ミラーの角部分をカットする工程が必要となるため、その分、ミラーのコストが上昇するとの問題が生じる。光ピックアップ装置に用いられるミラーは、通常、１枚のミラー原板をカットして形成される。このため、一つのミラーを切り出すのに要するカット工程が少ない程、低コストとなる。しかし、先行発明によれば、方形平板状にミラーを切り出した後、さらにその角部分をカットする工程が必要となるため、この工程の分、製造コストが上昇するとの問題が生じる。
【０００８】
そこで、本発明は、ミラーのコストを抑制しながら、ミラー間の距離を縮めることができ、ひいては、対物レンズ間の距離を小さく設定できる光ピックアップ装置を提供することを課題とする。
【課題を解決するための手段】
【０００９】
上記課題に鑑み本発明は、以下の特徴を有する。
【００１０】
請求項１の発明は、光ピックアップ装置において、第１のレーザ光を収束させる第１の対物レンズと、第２のレーザ光を収束させる第２の対物レンズと、前記第１のレーザ光を前記第１の対物レンズ方向に反射する第１のミラーと、前記第２のレーザ光を前記第２の対物レンズ方向に反射する第２のミラーを備え、前記第１のミラーと前記第２のミラーは、方形形状のミラー面を有し、且つ、前記方形形状の１辺が前記第１の対物レンズと前記第２の対物レンズの配列方向に直交する状態でハウジングに配置されていることを特徴とする。
【００１１】
請求項２の発明は、請求項１に記載の光ピックアップ装置において、前記第１のミラーと前記第２のミラーは、前記方形形状の１辺が互いに当接するか、あるいは、一定の隙間をおいて対向するようにして配置されていることを特徴とする。
【００１２】
請求項３の発明は、請求項１または２に記載の光ピックアップ装置において、前記第１のミラーと前記第２のミラーは、板状ミラーにて構成されていることを特徴とする。
【００１３】
請求項４の発明は、請求項３に記載の光ピックアップ装置において、前記第１のミラーと前記第２のミラーのうち少なくとも何れか一方は、前記ハウジングに配置された状態において厚み部分が重ならないよう、前記一辺を有する面が面取りされていることを特徴とする。
【００１４】
請求項５の発明は、請求項４に記載の光ピックアップ装置において、前記一辺を有する面は、前記ミラー面から厚み方向に向かって一様に幅狭となるようカットされていることを特徴とする。
【００１５】
請求項６の発明は、請求項５に記載の光ピックアップ装置において、前記一辺を有する面と反対側の面も、前記一辺を有する面と同様の状態にてカットされていることを特徴とする。
【００１６】
請求項７の発明は、請求項１ないし６の何れか一項に記載の光ピックアップ装置において、前記第１のレーザ光と前記第２のレーザ光は、前記第１の対物レンズと前記第２の対物レンズを介してディスク上に照射され、前記第１の対物レンズおよび前記第２の対物レンズと、前記第１のミラーおよび前記第２のミラーは、前記ディスクの径に直交する方向に配列されることを特徴とする。
【００１７】
請求項８の発明は、請求項７に記載の光ピックアップ装置において、前記第１の対物レンズと前記第２の対物レンズの何れか一方が、前記ディスクの径に沿って移動するように配置されることを特徴とする。
【００１８】
請求項９の発明は、請求項１ないし６の何れか一項に記載の光ピックアップ装置において、前記第１のレーザ光と前記第２のレーザ光は、前記第１の対物レンズと前記第２の対物レンズを介してディスク上に照射され、前記第１の対物レンズおよび前記第２の対物レンズと、前記第１のミラーおよび前記第２のミラーは、前記ディスクの径方向に配列されることを特徴とする。
【発明の効果】
【００１９】
本発明によれば、方形形状の１辺が第１の対物レンズと第２の対物レンズの配列方向に直交する状態でハウジングに配置されるため、第１のミラーと第２のミラー間の距離を小さくすることができる。また、第１のミラーと第２のミラーを、方形形状のミラー面を有する単純な板状ミラーにて構成できるため、ミラーのコスト上昇を抑制することができる。よって、本発明によれば、ミラーのコストを抑制しながら、ミラー間の距離を縮めることができる。したがって、対物レンズ間の距離を小さく設定でき、法線ズレ等の影響を抑制することができる。
【００２０】
さらに、請求項４の発明のように、第１のミラーと第２のミラーのうち少なくとも何れか一方の面に面取りを施すようにすると、第１のミラーと第２のミラーをさらに接近して配置することができる。したがって、対物レンズ間の距離を極めて小さく設定でき、法線ズレ等の影響を効果的に抑制することができる。
【００２１】
また、請求項６の発明のように、ミラーの両方の面をカットするようにすると、以下に示す実施形態において図８を参照して説明する如く、ミラーの製造コストと抑制することができる。
【００２２】
本発明の特徴は、以下に示す実施の形態の説明により更に明らかとなろう。ただし、以下の実施の形態は、あくまでも一つの例示形態であって、本発明ないし各構成要件の用語の意義は、以下の実施の形態に記載されたものに制限されるものではない。
【発明を実施するための最良の形態】
【００２３】
以下、本発明の実施の形態につき図面を参照して説明する。なお、本実施の形態は、青色波長のレーザ光と、赤色波長および赤外波長のレーザ光をディスクに照射可能な互換型光ピックアップ装置に本発明を適用したものである。
【００２４】
図１に、実施の形態に係る光ピックアップ装置の光学系を示す。なお、同図（ａ）は、光学系のうち、半導体レーザからミラーまでとミラーから光検出器までの部分の上面図であり、同図（ｂ）は、ミラーから対物レンズまでの部分の側面図である。また、半導体レーザ１０１から光検出器１０９までは、青色波長のレーザ光を光ディスクに導くための光学系（青用光学系）であり、半導体レーザ１２１から光検出器１２７までは、赤色および赤外波長のレーザ光を光ディスクに導くための光学系（赤／赤外用光学系）である。
【００２５】
図示の如く、青用光学系は、半導体レーザ１０１と、１／２波長板１０２と、偏光ビームスプリッタ１０３と、ミラー１０４と、コリメートレンズ１０５と、１／４波長板１０６と、対物レンズ１０７と、アナモレンズ１０８と、光検出器１０９を備えている。
【００２６】
半導体レーザ１０１は、青色波長（４００ｎｍ程度）のレーザ光を出射する。１／２波長板１０２は、偏光ビームスプリッタ１０３に対するレーザ光の偏光方向を調整する。すなわち、１／２波長板１０２をレーザ光の光軸を軸として回転させることにより、偏光ビームスプリッタ１０３に対するレーザ光の偏光方向を変化させることができる。偏光ビームスプリッタ１０３に対するレーザ光の偏光方向を変化させることにより、偏光ビームスプリッタ１０３を透過するレーザ光の光量と、偏光ビームスプリッタ１０３によって反射されるレーザ光の光量を変化させることができる。
【００２７】
なお、偏光ビームスプリッタ１０３によって反射されたレーザ光を光検出器（図示せず）にて受光して半導体レーザ１０１の出射パワーをモニタする場合には、この光検出器に適正光量のレーザ光が導かれるよう、１／２波長板１０２の回転位置が調整される。
【００２８】
偏光ビームスプリッタ１０３は、１／２波長板１０２側から入射されるレーザ光を透過するとともに、ミラー１０４側から入射されるレーザ光を反射する。ミラー１０４は、偏光ビームスプリッタ１０３を透過したレーザ光をコリメートレンズ１０５側に反射する。なお、ミラー１０４の形状および配置については、追って、図２を参照して説明する。
【００２９】
コリメートレンズ１０５は、ミラー１０４から入射されたレーザ光を平行光に変換する。１／４波長板１０６は、コリメートレンズ１０５から入射されるレーザ光を円偏光に変換するとともに、ディスク１００からの反射光を、ディスク１００へ入射される際の偏光方向に直交する直線偏光に変換する。これにより、ディスク１００によって反射されたレーザ光は偏光ビームスプリッタ１０３によって反射される。
【００３０】
対物レンズ１０７は、青色波長のレーザ光を、対応するディスク上に適正に収束できるよう設計されている。アナモレンズ１０８は、集光レンズとシリンドリカルレンズから構成され、ディスク１００からの反射光に非点収差を導入する。光検出器１０９は、アナモレンズ１０８によって収束されたレーザ光受光して、その強度分布から再生ＲＦ信号、フォーカスエラー信号およびトラッキングエラー信号を導出するためのセンサパターンを有している。
【００３１】
なお、青用光学系には、フォーカスエラー信号の生成手法として非点収差法が適用され、また、トラッキングエラー信号の生成手法として１ビームプッシュプル法が適用されている。
【００３２】
赤／赤外用光学系は、半導体レーザ１２１と、光学素子１２２と、ハーフミラー１２３と、ミラー１２４と、コリメートレンズ１２５と、対物レンズ１２６と、光検出器１２７を備えている。
【００３３】
半導体レーザ１２１は、赤色波長（６５０ｎｍ程度）のレーザ光と、赤外波長（７８０ｎｍ程度）のレーザ光を出射する。光学素子１２２は、回折格子と１／４波長板を組み合わせて構成されている。半導体レーザ１２１からのレーザ光は、光学素子１２２の構成素子のうち回折格子によって３ビームに分割され、さらに、１／４波長板によって円偏光に変換される。
【００３４】
ハーフミラー１２３は、光学素子１２２側から入射されるレーザ光の一部をミラー１２４側に反射する。ミラー１２４は、ハーフミラー１２３によって反射されたレーザ光をコリメートレンズ１２５側に反射する。なお、ミラー１２５の形状および配置については、追って、図２を参照して説明する。
【００３５】
コリメートレンズ１２５は、ミラー１２４から入射されたレーザ光を平行光に変換する。なお、コリメートレンズ１２５に入射されるレーザ光は、ハウジング（図示せず）のコリメートレンズ１２５装着部に形成された孔によって開口制限される。対物レンズ１２６は、赤色／赤外波長のレーザ光を、対応するディスク上に適正に収束できるよう設計されている。
【００３６】
ディスク１００からの反射光は、ディスク入射時の光路を逆行し、ハーフミラー１２３に入射され、その一部が、ハーフミラー１２３を透過する。ここで、ハーフミラー１２３は、ディスク１００からの反射光の光軸に対して一定角度（たとえば４５°）だけ傾いて配置されている。ディスク１００からの反射光は、このように配置されたハーフミラー１２３に、収束光の状態で入射する。このため、ハーフミラー１２３を透過したレーザ光に非点収差が導入される。
【００３７】
光検出器１２７は、ハーフミラー１２３を透過したレーザ光を受光する。光検出器１２７は、受光したレーザ光の強度分布から再生ＲＦ信号、フォーカスエラー信号およびトラッキングエラー信号を導出するためのセンサパターンを有している。
【００３８】
なお、赤・赤外用光学系には、フォーカスエラー信号の生成手法として非点収差法が適用され、また、トラッキングエラー信号の生成手法としてＤＰＰ（Differential Push Pull）法が適用されている。
【００３９】
２つの対物レンズ１０７、１２６は、ホルダー１３１に保持されている。対物レンズアクチュエータ１３２は、サーボ信号に応じて、ホルダー１３１をフォーカス方向およびトラッキング方向に駆動する。これにより、対物レンズ１０７、１２６はフォーカス方向およびトラッキング方向に一体的に駆動される。
【００４０】
なお、本実施の形態における光学系のうち、図１（ａ）の部分は、レーザ光の光軸が、一つのＸ−Ｙ平面上に載るように配置されている。また、図１（ａ）において、直線Ｌに対する青色波長のレーザ光の入射角α１と、赤／赤外波長のレーザ光の入射角α２は相違している。たとえば、青色波長のレーザ光の入射角α１は３０°、赤／赤外波長のレーザ光の入射角α２は４５°に設定される。
【００４１】
図２は、ミラー１０４、１２４の形状および配置を示す図である。なお、同図（ａ）は、ハウジングに配置された状態のミラー１０４、１２４を上面側（図１に示すＺ軸方向）から見たときの図、同図（ｂ）は、ハウジングに配置された状態のミラー１０４、１２４を側面側（図１に示すＹ軸方向）から見たときの図である。
【００４２】
図示の如く、ミラー１０４、１２４は方形平板状の形状を有する。また、ミラー１０４、１２４は、その一辺がＸ軸に対して直交し、且つ、青色波長のレーザ光と赤／赤外波長のレーザ光をそれぞれ対物レンズ１０７、１２６に向かう方向（Ｚ軸方向）に反射するよう傾斜した状態にて、ハウジング（図示せず）に固着されている。ミラー１０４、１２４は、互いに対向する一辺が略当接する状態にまで接近して配置されている。なお、ハウジングには、ミラー１０４、１２４をこの状態にて装着できるような台座が形成されている。
【００４３】
なお、ミラー１０４、１２４は、対応する波長のレーザ光を反射する反射面が形成されたミラー原板を、たとえば、図３（ａ）に示すように直線状（同図点線）にカットし、さらに、同図（ｂ）に示すように、カットした断片を重ねた状態で直線状（同図点線）にカットして形成される。
【００４４】
図４（ａ）は、図２に示すようにしてミラー１０４、１２４を配置したときの対物レンズ１０７、１２６とミラー１０４、１２４の関係を示す図である。なお、同図には、Ｘ軸方向がラジアル方向に直交する方向（タンジェンシャル方向）となるようにピックアップの光学系を配置した場合の例が示されている。また、同図（ｂ）には、比較例として、図１１（ａ）に示す従来例の構成が示されている。
【００４５】
図示の如く、本実施の形態によれば、従来例に比べ、ミラー１０４、１２４間の距離Ｄ１を小さくすることができる。よって、従来例に比べ、対物レンズ１０７の法線ズレ量を抑制することができる。
【００４６】
また、本実施の形態によれば、ミラー１０４、１２４の形状が方形平板状であるため、図３に示す如く、単純な切り出し工程にてミラー１０４、１２４を形成することができる。よって、図１１（ｂ）に示す従来例のミラーに比べ、ミラーのコスト低減を図ることができ、その分、光ピックアップ装置のコストを抑制することができる。
【００４７】
図５は、ミラー１０４、１２４の変更例を示す図である。
【００４８】
この変更例では、ミラー１０４、１２４の対向面が斜めにカット（Ｃカット）されている。この場合、ミラー１０４、１２４は、上記図３（ａ）の場合と同様、対応する波長のレーザ光を反射する反射面が形成されたミラー原板を、上記図３（ａ）の場合と同様、まず、直線状（図５（ａ）の点線直線）にカットし、次に、カットした部分を斜め（図５（ａ）の点線斜線）にカットし、さらに、図５（ｂ）に示すように、カット後の断片を重ねた状態で直線状（同図点線）にカットして形成される。
【００４９】
図６は、図５に示す工程にて生成されたミラー１０４、１２４を光ピックアップ装置内の光学系に配置した状態を示す図である。図６の光学系では、図１に比べ、ミラー１０４、１２４の形状のみが相違している。
【００５０】
図７は、ミラー１０４、１２４の配置状態を示す図である。なお、同図（ａ）は、ハウジングに配置された状態のミラー１０４、１２４を上面側（図６に示すＺ軸方向）から見たときの図、同図（ｂ）は、ハウジングに配置された状態のミラー１０４、１２４を側面側（図６に示すＹ軸方向）から見たときの図である。
【００５１】
図示の如く、ミラー１０４、１２４は、Ｃカットされた部分の一辺がＸ軸に対して直交し、且つ、青色波長のレーザ光と赤／赤外波長のレーザ光をそれぞれ対物レンズ１０７、１２６に向かう方向（Ｚ軸方向）に反射するよう傾斜した状態にて、ハウジング（図示せず）に固着される。また、ミラー１０４、１２４は、互いに対向する一辺が略当接する状態にまで接近して配置されている。
【００５２】
この変更例によれば、ミラー１０４、１２４の対向面がそれぞれ傾斜面とされているため、上記図１ないし図４に示す実施形態に比べ、ミラー１０４、１２４間の距離Ｄ２をさらに小さくすることができる。よって、上記実施の形態に比べ、対物レンズ１０７の法線ズレ量をさらに抑制することができる。
【００５３】
なお、ミラー１０４、１２４の対向面のうち何れか一方のみを傾斜面とした場合も、上記図１ないし図４に示す実施形態に比べ、ミラー１０４、１２４をさらに接近させることができる。よって、上記実施の形態に比べ、対物レンズ１０７の法線ズレ量をさらに抑制することができる。
【００５４】
ただし、図５ないし図７に示す変更例によれば、ミラー１０４、１２４の対向面を傾斜面とする工程が必要となるため、その分、上記実施の形態に比べ、ミラー１０４、１２４のコストが上昇する。しかし、ミラー１０４、１２４の対向面と反対側の面も対向面と同様に傾斜面とすることにより、かかるコスト上昇の問題を解消することができる。
【００５５】
図８は、この場合のミラー切り出し工程を示す図である。
【００５６】
この場合、ミラー１０４、１２４は、対応する波長のレーザ光を反射する反射面が形成されたミラー原板を、同図（ａ）に示すように斜め（同図点線）にカットし、さらに、同図（ｂ）に示すように、カットした断片を重ねた状態で直線状（同図点線）にカットして形成される。
【００５７】
図９は、図８に示す工程にて生成されたミラー１０４、１２４を光ピックアップ装置内の光学系に配置した状態を示す図である。図９の光学系では、図１に比べ、ミラー１０４、１２４の形状のみが相違している。
【００５８】
この構成例によれば、上記図３の場合と同じ工程数にてミラーの切り出しが行えるので、ミラー製造コストの上昇を抑制することができる。よって、光ピックアップ装置のコストを、上記図３の場合と同程度にまで抑制することができる。
【００５９】
以上、本発明の実施形態について説明したが、本発明の実施形態は、上記のものに限定されない。
【００６０】
たとえば、上記実施の形態では、対物レンズ１０７、１２６にそれぞれ青色波長のレーザ光と、赤／赤外波長のレーザ光を入射させるようにしたが、各対物レンズに入射させるレーザ光は、これに限定されず、光ピックアップ装置の仕様に応じて適宜変更され得るものである。
【００６１】
また、上記実施の形態では、対物レンズ１０７、１２６をタンジェンシャル方向に配置する例を示したが、対物レンズ１０７、１２６の配置方向はタンジェンシャル方向に限るものではない。
【００６２】
たとえば、図１０に示す如く、対物レンズ１０７、１２６をラジアル方向に配置する光ピックアップ装置に本発明を適用することも可能である。この場合、対物レンズ１０７、１２６間の距離を小さくできるので、たとえば、対物レンズ１２６をディスク最内周位置に位置づけたときに、対物レンズ１０７がディスク最内周位置からさらにスピンドルモータ側に入り込むストローク量を抑制することができる。よって、光ピックアップ装置の送り機構の大型化を抑制することができる。
【００６３】
さらに、上記実施の形態では、フォーカスエラー信号の生成手法とトラッキングエラー信号の生成手法として、青用光学系に非点収差法と１ビームプッシュプル法を適用し、赤用光学系に非点収差法とＤＰＰ法を適用した例を示したが、フォーカスエラー信号の生成手法とトラッキングエラー信号の生成手法はこれに限定されるものでない。光ピックアップ装置の光学系は、フォーカスエラー信号の生成手法とトラッキングエラー信号の生成手法に応じて適宜変更され得る。
【００６４】
この他、本発明の実施の形態は、特許請求の範囲に示された技術的思想の範囲内において、適宜、種々の変更が可能である。
【図面の簡単な説明】
【００６５】
【図１】実施の形態に係る光ピックアップ装置の光学系を示す図
【図２】実施の形態に係るミラーの形状および配置を説明する図
【図３】実施の形態に係るミラーの切り出し工程を説明する図
【図４】実施の形態に係る対物レンズとミラーの関係を説明する図
【図５】実施の形態に係るミラーの切り出し工程の変更例を説明する図
【図６】実施の形態に係る光ピックアップ装置の光学系の変更例を示す図
【図７】実施の形態に係るミラーの形状および配置の変更例を説明する図
【図８】実施の形態に係るミラーの切り出し工程の変更例を示す図
【図９】実施の形態に係る光ピックアップ装置の光学系の変更例を示す図
【図１０】実施の形態に係る光ピックアップ装置の光学系の変更例を示す図
【図１１】従来例を説明する図
【符号の説明】
【００６６】
１０１    半導体レーザ（青色波長）
１０４    ミラー
１０７    対物レンズ
１２１    半導体レーザ（赤／赤外波長）
１２４    ミラー
１２６    対物レンズ
【図１】
2007334990.tif 000003
【図２】
2007334990.tif 000004
【図３】
2007334990.tif 000005
【図４】
2007334990.tif 000006
【図５】
2007334990.tif 000007
【図６】
2007334990.tif 000008
【図７】
2007334990.tif 000009
【図８】
2007334990.tif 000010
【図９】
2007334990.tif 000011
【図１０】
2007334990.tif 000012
【図１１】
2007334990.tif 000013